(57)【要約】【課題】複数の液体貯留部のうち少なくとも１つの液体貯留部の液体貯留量を他の液体貯留部の液体貯留量よりも大きくすることができ、且つ、複数の液体貯留部を収容する収容部の設計の自由度を向上することができる液体消費装置を提供する。【解決手段】内部に液体が貯留される液体貯留部を複数収容する収容部を備える液体消費装置は、前記収容部内において複数の前記液体貯留部が配列されている水平方向を第一方向とし、この第一方向及び鉛直方向である第二方向に直交する方向を第三方向と定義したとき、複数の前記液体貯留部のうち少なくとも１つの液体貯留部の、前記第二方向及び前記第三方向に延びる仮想平面で切断したときの断面形状は、他の前記液体貯留部の、前記第二方向及び前記第三方向に延びる仮想平面で切断したときの断面形状と異なることを特徴とする。【選択図】図１
2020163715.tif 000002
【特許請求の範囲】
【請求項１】
内部に液体が貯留される液体貯留部を複数収容する収容部を備える液体消費装置であって、
前記収容部内において複数の前記液体貯留部が配列されている水平方向を第一方向とし、この第一方向及び鉛直方向である第二方向に直交する方向を第三方向と定義したとき、
複数の前記液体貯留部のうち少なくとも１つの液体貯留部の、前記第二方向及び前記第三方向に延びる仮想平面で切断したときの断面形状は、他の前記液体貯留部の、前記第二方向及び前記第三方向に延びる仮想平面で切断したときの断面形状と異なることを特徴とする液体消費装置。
【請求項２】
所定の搬送方向に搬送される画像形成対象物に、前記液体貯留部内の液体により画像を形成する画像形成装置として構成され、
前記第一方向は、前記搬送方向に直交する方向であることを特徴とする請求項１に記載の液体消費装置。
【請求項３】
前記第二方向又は前記第三方向において、複数の前記液体貯留部の少なくとも一面が面一状態となっていることを特徴とする請求項１または２に記載の液体消費装置。
【請求項４】
所定の搬送方向に搬送される画像形成対象物に、前記液体貯留部内の液体により画像を形成する画像形成装置として構成され、
前記第一方向は、前記搬送方向に平行な方向であることを特徴とする請求項１に記載の液体消費装置。
【請求項５】
前記液体貯留部は、着脱不能なタンクであることを特徴とする請求項１から４の何れか１項に記載の液体消費装置。
【請求項６】
前記液体貯留部は、着脱可能なカートリッジであることを特徴とする請求項１から４の何れか１項に記載の液体消費装置。
【請求項７】
前記複数の液体貯留部のうち、少なくとも１つの液体貯留部は、前記画像形成対象物へ画像を形成する液体を貯留していることを特徴とする請求項１から６の何れか１項に記載の液体消費装置。
【請求項８】
前記複数の液体貯留部は、前記第一方向に沿う寸法が同一であることを特徴とする請求項１から７の何れか１項に記載の液体消費装置。
【発明の詳細な説明】
【技術分野】
【０００１】
本開示は、内部に液体が貯留される複数の液体貯留部を備える液体消費装置に関する。
【背景技術】
【０００２】
例えばシートなどの画像形成対象物にインクを消費することにより画像を形成する液体消費装置の一例であるインクジェット式プリンタにおいては、内部にインクを貯留する複数のインク貯留部を備えるようにしている。
【０００３】
ところで、この種のインクジェット式プリンタにおいては、一般的に、シアンインク、マゼンタインク、イエローインクの消費量よりもブラックインクの消費量が多くなることが想定されている。そのため、特許文献１に開示されているインクジェット式プリンタにおいては、一方向に沿って配列されている複数のインク貯留部について、ブラックインクを貯留するインク貯留部の一方向に沿う寸法を、ブラックインク以外の他のインクを貯留するインク貯留部の一方向に沿う寸法よりも大きくした構成を適用している。
【先行技術文献】
【特許文献】
【０００４】
【特許文献１】特開２０１７−１２１７６５号公報
【発明の概要】
【発明が解決しようとする課題】
【０００５】
しかしながら、特許文献１の構成では、複数のインク貯留部の一方向に沿う寸法が一致しない構成となる。一方向に沿う寸法が異なる複数のインク貯留部を収容部に収容する場合には、収容部の一方向に沿う寸法を大きくするしかなく、従って、収容部の設計変更の自由度が著しく制限されてしまう。
【０００６】
本開示は上記事情に鑑みてなされたものであり、複数の液体貯留部のうち少なくとも１つの液体貯留部の液体貯留量を他の液体貯留部の液体貯留量よりも大きくすることができ、且つ、複数の液体貯留部を収容する収容部の設計の自由度を向上することができる液体消費装置を提供することである。
【課題を解決するための手段】
【０００７】
本開示に係る液体消費装置は、内部に液体が貯留される液体貯留部を複数収容する収容部を備える液体消費装置であって、前記収容部内において複数の前記液体貯留部が配列されている水平方向を第一方向とし、この第一方向及び鉛直方向である第二方向に直交する方向を第三方向と定義したとき、複数の前記液体貯留部のうち少なくとも１つの液体貯留部の、前記第二方向及び前記第三方向に延びる仮想平面で切断したときの断面形状は、他の前記液体貯留部の、前記第二方向及び前記第三方向に延びる仮想平面で切断したときの断面形状と異なることを特徴とする。
【０００８】
本開示に係る液体消費装置によれば、収容部内に水平方向である第一方向に沿って配列される複数の液体貯留部について、少なくとも１つの液体貯留部の、第二方向及び第三方向に延びる仮想平面で切断したときの断面形状を、他の液体貯留部の、第二方向及び第三方向に延びる仮想平面で切断したときの断面形状と異なるようにしている。この構成によれば、複数の液体貯留部のうち少なくとも１つの液体貯留部の液体貯留量を他の液体貯留部の液体貯留量よりも大きくすることができ、収容部の設計の自由度を向上することができる。
【図面の簡単な説明】
【０００９】
【図１】第１実施形態に係る液体消費装置の構成例を概略的に示す横断平面図（その１）
【図２】第１実施形態に係る液体消費装置の構成例を概略的に示す横断平面図（その２）
【図３】第２実施形態に係る液体消費装置の構成例を概略的に示す横断平面図
【図４】第３実施形態に係る液体消費装置の構成例を概略的に示す横断平面図
【図５】第４実施形態に係る液体消費装置の構成例を概略的に示す横断平面図（その１）
【図６】第４実施形態に係る液体消費装置の構成例を概略的に示す横断平面図（その２）
【図７】第５実施形態に係る液体貯留部の構成例を概略的に示す斜視図
【図８】第６実施形態に係る液体消費装置の構成例を概略的に示す横断平面図
【図９】第７実施形態に係る液体消費装置の構成例を概略的に示す横断平面図
【図１０】第８実施形態に係る液体消費装置の構成例を概略的に示す横断平面図
【図１１】第９実施形態に係る液体消費装置の構成例を概略的に示す横断平面図
【図１２】第１０実施形態に係る液体消費装置の構成例を概略的に示す横断平面図
【図１３】変形実施形態に係る液体消費装置の構成例を概略的に示す横断平面図
【発明を実施するための形態】
【００１０】
以下、本開示の液体消費装置に係る複数の実施形態について、図面を参照しながら説明する。なお、複数の実施形態において実質的に同一の要素には同一の符号を付し、その説明を省略する。
【００１１】
（第１実施形態）
第１実施形態においては、インク消費装置の左右方向を第一方向Ｘ、上下方向を第二方向Ｚ、前後方向を第三方向Ｙと定義する。図１に例示するインク消費装置１０は、液体消費装置の一例であり、例えばシートなどの画像形成対象物にインクを消費することにより画像を形成するインクジェット式プリンタとして構成されている。インク消費装置１０は、その左右方向のほぼ中央部に搬送経路１１を備えている。搬送経路１１は、この場合、インク消費装置１０の前後方向に沿って延びており、図示しない周知の搬送機構により、画像形成対象物であるシートを前後方向に沿って搬送する。
【００１２】
インク消費装置１０は、その前部にインク収容部１００を備えている。インク収容部１００は、収容部の一例であり、この場合、インク消費装置１０の正面側から見て、搬送経路１１よりも右側に設けられている。インク収容部１００内には、複数、この場合、４つのインクタンク１０１Ｃ，１０１Ｍ，１０１Ｙ，１０１Ｂが収容されている。以下、これらのインクタンク１０１Ｃ，１０１Ｍ，１０１Ｙ，１０１Ｂをまとめて「インクタンク１０１」と称する場合もある。インクタンク１０１は、例えば透明あるいは半透明の樹脂材料により構成されており、内部のインクの残量を当該インクタンク１０１の外部から視認可能となっている。なお、インクタンク１０１は、不透明な部材により構成してもよい。
【００１３】
複数のインクタンク１０１は、何れも液体貯留部の一例である。インクタンク１０１は、インク収容部１００内に着脱不能に備えられている。ここで、インク収容部１００の一部、例えば、前面１００ａの一部を透光性を備えた部材で構成するか、または、前面１００ａに透視窓を設けた構成とすれば、後述するように、インクタンク１０１内のインクの残量をインク消費装置１００の外部から視認可能とすることができる。また、「着脱不能」とは、一般の消費者がインク消費装置１０を使用する場合にインクタンク１０１をインク収容部１００から取り外すことができないことを意図するものであり、例えば、インク消費装置１０のメンテナンス時などにおいて、専門の修理者が装置の内部構造を分解することでインクタンク１０１をインク収容部１００から取り外すような場合までは含まない。
【００１４】
複数のインクタンク１０１は、この場合、それぞれ異なる種類のインクを貯留している。即ち、インクタンク１０１Ｃには、内部にシアンインクが貯留されている。インクタンク１０１Ｍには、内部にマゼンタインクが貯留されている。インクタンク１０１Ｙには、内部にイエローインクが貯留されている。インクタンク１０１Ｂには、内部にブラックインクが貯留されている。即ち、複数のインクタンク１０１は、それぞれ異なる種類のインクを貯留するタンクとなっている。ここで、「異なる種類のインク」とは、インクの色の相違や、染料インクか顔料インクかの相違、未使用のインクか既に使用されたが画像形成等には用いられなかった廃インクかの相違も含む趣旨である。インクタンク１０１は、それぞれ、図示しないインク補給口を備えており、このインク補給口を通して、内部にインクを適宜補給可能となっている。インク補給口は、図示しないキャップによって開閉される。なお、シアンインク、マゼンタインク、イエローインク、ブラックインクは、液体の一例である。また、画像形成前に画像形成対象物に塗布される前処理用の液体も、液体の一例として挙げることができる。
【００１５】
インク収容部１００内において、複数のインクタンク１０１は、第一方向Ｘ、この場合、インク消費装置１０の左右方向となる水平方向に沿って一列に配列されている。そして、この第一方向に対して、鉛直方向つまりインク消費装置１０の上下方向を第二方向Ｚと定義した場合、第一方向Ｘ及び第二方向Ｚに直交する方向を第三方向Ｙ、この場合、インク消費装置１０の前後方向と定義する。即ち、複数のインクタンク１０１が配列される第一方向Ｘは、搬送経路１１が延びる方向、つまり、画像形成対象物の一例であるシートの搬送方向である第三方向Ｙに直交する方向となっている。また、インク収容部１００内において、インクタンク１０１Ｂは、端部、この場合、右端部に配置されている。
【００１６】
そして、複数のインクタンク１０１のうちインクタンク１０１Ｂの第一方向Ｘに直交する断面積は、他のインクタンク１０１Ｃ，１０１Ｍ，１０１Ｙの第一方向Ｘに直交する断面積よりも大きくなっている。ここで、複数のインクタンク１０１の第一方向Ｘに直交する断面は、第二方向Ｚ及び第三方向Ｙに延びる仮想平面と定義することができる。そのため、インク消費装置１０は、インクタンク１０１Ｂの当該仮想平面で切断したときの断面形状が、他のインクタンク１０１Ｃ，１０１Ｍ，１０１Ｙの当該仮想平面で切断したときの断面形状と異なるようにした構成となっている。より詳細には、インクタンク１０１Ｂの当該仮想平面で切断したときの断面形状は、他のインクタンク１０１Ｃ，１０１Ｍ，１０１Ｙの当該仮想平面で切断したときの断面形状よりも大きくなっている。また、別の見方をすれば、インクタンク１０１Ｂの当該仮想平面で切断したときの断面積は、他のインクタンク１０１Ｃ，１０１Ｍ，１０１Ｙの当該仮想平面で切断したときの断面積よりも大きくなっている。また、複数のインクタンク１０１は、第一方向Ｘに沿う寸法、つまり、インク消費装置１０の左右方向に沿う幅寸法が同一となっている。なお、複数のインクタンク１０１は、第一方向Ｘに沿う寸法がそれぞれ異なっていてもよい。
【００１７】
また、インク収容部１００は、その前面１００ａのうちインクタンク１０１Ｂの前面に対向する部分に突出部１００ｂを有した設計となっている。突出部１００ｂは、インク収容部１００の前面１００ａから前方に矩形状に突出している。そして、インクタンク１０１Ｂの前端部は、この突出部１００ｂ内に配置されている。なお、上述した通り、インク収容部１００の前面１００ａには、図示しない視認窓が設けられており、使用者は、この視認窓を介して、インクタンク１０１Ｃ，１０１Ｍ，１０１Ｙ，１０１Ｂ内のインクの残量を確認可能となっている。なお、インク収容部１００は、視認窓を備えない構成としてもよい。
【００１８】
インク消費装置１０によれば、インク収容部１００内において第一方向Ｘに沿って配列される複数のインクタンク１０１について、インクタンク１０１Ｂの第一方向Ｘに直交する断面形状を、他のインクタンク１０１Ｃ，１０１Ｍ，１０１Ｙの第一方向Ｘに直交する断面形状と異ならせている。即ち、インクタンク１０１Ｂについて、その第一方向Ｘに沿う寸法を他のインクタンク１０１Ｃ，１０１Ｍ，１０１Ｙ，１０１Ｂの第一方向Ｘに沿う寸法よりも大きくする従来の態様とは全く異なる態様により大きくするようにした。
【００１９】
従って、インク消費装置１０によれば、インクタンク１０１Ｂのインク貯留量を他のインクタンク１０１Ｃ，１０１Ｍ，１０１Ｙのインク貯留量よりも大きくすることができる。そして、その場合のインク収容部１００は、当該インク収容部１００の第一方向Ｘに沿う寸法を大きくする従来の態様とは全く異なる態様、この場合、インク収容部１００の前面１００ａに突出部１００ｂを設ける態様を適用することができる。従って、複数のインクタンク１０１を収容するインク収容部１００の設計の自由度を格段に向上することができる。
【００２０】
なお、図２に例示するように、他のインクタンク１０１Ｃ，１０１Ｍ，１０１Ｃよりもインク貯留量が大きくなるように構成されるインクタンク１０１Ｂは、インク収容部１００内において左端部に配置してもよい。
【００２１】
また、インク消費装置１０は、所定の種類の液体、この場合、ブラックインクを内部に貯留するインクタンク１０１Ｂについて、その第一方向Ｘに直交する断面形状を、他のインクタンク１０１Ｃ，１０１Ｍ，１０１Ｙの第一方向Ｘに直交する断面形状よりも大きくした構成となっている。しかし、インク消費装置１０は、複数のインクタンク１０１Ｃ，１０１Ｍ，１０１Ｙ，１０１Ｂのうち少なくとも１つのインクタンクの第一方向Ｘに直交する断面形状を他のインクタンクの第一方向Ｘに直交する断面形状よりも大きした構成であればよく、従って、例えば、インクタンク１０１Ｃ，１０１Ｍを他のインクタンク１０１Ｙ，１０１Ｂよりも大きくした構成とするなど、サイズを大きくするインクタンクの種類や数を適宜変更することができる。
【００２２】
（第２実施形態）
第２実施形態においても、インク消費装置の左右方向を第一方向Ｘ、上下方向を第二方向Ｚ、前後方向を第三方向Ｙと定義する。図３に例示するインク消費装置１０によれば、複数のインクタンク１０１は、その前面が面一である面一状態となっている。そして、インク収容部１００は、その前面１００ａに突出部１００ｂが設けられておらず、面一状態となっている。
【００２３】
この構成によれば、インク収容部１００の一部を前方に突出させる必要が無く、従って、インク消費装置１０全体としての大型化を抑制することができる。
【００２４】
（第３実施形態）
第３実施形態においても、インク消費装置の左右方向を第一方向Ｘ、上下方向を第二方向Ｚ、前後方向を第三方向Ｙと定義する。図４に例示するインク消費装置１０によれば、複数のインクタンク１０１は、その後面が面一である面一状態となっている。そして、インク収容部１００は、その前面１００ａに突出部１００ｂを備えており、インクタンク１０１Ｂの前端部は、この突出部１００ｂ内に配置されている。
【００２５】
この構成によれば、インク収容部１００の後側における設計変更を不要とすることができる。ここで、インク収容部１００の後側には、例えば、複数のインクタンク１０１と、画像形成対象物にインクを吐出する図示しないインク吐出ノズル部とを接続するチューブなどが設けられる。そのため、このようなチューブの配置構成について、特段の変更を加えることなく、そのまま適用することができる。
【００２６】
（第４実施形態）
第４実施形態においても、インク消費装置の左右方向を第一方向Ｘ、上下方向を第二方向Ｚ、前後方向を第三方向Ｙと定義する。図５に例示するインク消費装置１０によれば、複数のインクタンク１０１は、インクタンク１０１Ｂの後面が他のインクタンク１０１Ｃ，１０１Ｍ，１０１Ｙの後面よりも前側に位置するように配置されており、複数のインクタンク１０１の後面が面一ではない非面一状態となっている。この場合、インクタンク１０１Ｂの前端部は、インク収容部１００の前面１００ａに設けられた突出部１００ｂ内に嵌め込まれている。
【００２７】
また、図６に例示するインク消費装置１０によれば、複数のインクタンク１０１は、インクタンク１０１Ｂの前面が他のインクタンク１０１Ｃ，１０１Ｍ，１０１Ｙの前面よりも後側に位置するように配置されており、インクタンク１０１Ｃ，１０１Ｍ，１０１Ｙ，１０１Ｂの前面が面一ではない非面一状態となっている。この場合、インク収容部１００は、その前面１００ａに突出部１００ｂを備えておらず、面一状態となっている。なお、インク収容部１００は、インクタンク１０１Ｂに対向する部分に、後方に窪む窪み部を設けた構成としてもよい。
【００２８】
即ち、本開示に係るインク消費装置１０によれば、図５や図６に例示するように、サイズを大きくしたインクタンク１０１Ｂのインク収容部１００内における配置位置の自由度を向上することができる。
【００２９】
（第５実施形態）
図７に例示するように、複数のインクタンク１０１は、その高さ寸法が同一となっている。この構成によれば、複数のインクタンク１０１がそれぞれ備える図示しないインク補給口を、同じ高さに位置させることができる。そのため、複数のインクタンク１０１内へのインクの補給を同じ高さ位置において行うことができ、インクの補給作業を容易に行うことができる。
【００３０】
（第６実施形態）
第６実施形態においては、インク消費装置の前後方向を第一方向Ｙ、上下方向を第二方向Ｚ、左右方向を第三方向Ｘと定義する。図８に例示するインク消費装置２０は、その左右方向のほぼ中央部に前後方向に延びる搬送経路２１を備えている。また、インク消費装置２０は、その側部、この場合、右側部にインク収容部２００を備えている。インク収容部２００内には、複数のインクタンク１０１が収容されている。
【００３１】
インク収容部２００内において、複数のインクタンク１０１は、第一方向Ｙ、この場合、インク消費装置２０の前後方向に沿って一列に配列されている。この場合、複数のインクタンク１０１が配列される第一方向Ｙは、搬送経路２１が延びる方向、つまり、シートの搬送方向に平行する方向となっている。
【００３２】
このように構成されるインク消費装置２０によっても、インクタンク１０１Ｂのインク貯留量を他のインクタンク１０１Ｃ，１０１Ｍ，１０１Ｙのインク貯留量よりも大きくすることができ、且つ、インク収容部２００の設計の自由度を格段に向上することができる。
【００３３】
（第７実施形態）
第７実施形態においては、インク消費装置の左右方向を第一方向Ｘ、上下方向を第二方向Ｚ、前後方向を第三方向Ｙと定義する。図９に例示するインク消費装置３０は、その前後方向のほぼ中央部に左右方向に延びる搬送経路３１を備えている。また、インク消費装置３０は、その前部、この場合、搬送経路３１よりも前側となる部分の右部にインク収容部３００を備えている。インク収容部３００内には、複数のインクタンク１０１が収容されている。
【００３４】
インク収容部３００内において、複数のインクタンク１０１は、第一方向Ｘ、この場合、インク消費装置３０の左右方向に沿って一列に配列されている。この場合、複数のインクタンク１０１が配列される第一方向Ｘは、搬送経路３１が延びる方向、つまり、シートの搬送方向に平行する方向となっている。
【００３５】
このように構成されるインク消費装置３０によっても、インクタンク１０１Ｂのインク貯留量を他のインクタンク１０１Ｃ，１０１Ｍ，１０１Ｙのインク貯留量よりも大きくすることができ、且つ、インク収容部３００の設計の自由度を格段に向上することができる。
【００３６】
（第８実施形態）
第８実施形態においては、インク消費装置の前後方向を第一方向Ｙ、上下方向を第二方向Ｚ、左右方向を第三方向Ｘと定義する。図１０に例示するインク消費装置４０は、その前後方向のほぼ中央部に左右方向に延びる搬送経路４１を備えている。また、インク消費装置４０は、その側部、この場合、右側部において搬送経路４１よりも前側となる部分にインク収容部４００を備えている。インク収容部４００内には、複数のインクタンク１０１が収容されている。
【００３７】
インク収容部４００内において、複数のインクタンク１０１は、第一方向Ｙ、この場合、インク消費装置４０の前後方向に沿って一列に配列されている。この場合、複数のインクタンク１０１が配列される第一方向Ｙは、搬送経路４１が延びる方向、つまり、シートの搬送方向に直交する方向となっている。
【００３８】
このように構成されるインク消費装置４０によっても、インクタンク１０１Ｂのインク貯留量を他のインクタンク１０１Ｃ，１０１Ｍ，１０１Ｙのインク貯留量よりも大きくすることができ、且つ、インク収容部４００の設計の自由度を格段に向上することができる。
【００３９】
（第９実施形態）
第９実施形態においては、インク消費装置の左右方向を第一方向Ｘ、上下方向を第二方向Ｚ、前後方向を第三方向Ｙと定義する。図１１に例示するインク消費装置５０は、その左右方向のほぼ中央部に前後方向に延びる搬送経路５１を備えている。また、インク消費装置５０は、その前部にインク収容部５００を備えている。インク収容部５００は、収容部の一例であり、この場合、インク消費装置５０の正面側から見て、搬送経路５１よりも右側に設けられている。インク収容部５００内には、複数、この場合、５つのインクタンク１０１Ｃ，１０１Ｍ，１０１Ｙ，１０１Ｂ，１０１Ｗが収容されている。即ち、インク消費装置５０は、上述したインクタンク１０１Ｃ，１０１Ｍ，１０１Ｙ，１０１Ｂに加えて、さらにインクタンク１０１Ｗを備えた構成となっている。以下、これらのインクタンク１０１Ｃ，１０１Ｍ，１０１Ｙ，１０１Ｂ，１０１Ｗをまとめて「インクタンク１０１」と称する場合もある。
【００４０】
インクタンク１０１Ｗは、液体貯留部の一例であり、この場合、画像形成対象物に対する画像形成に用いられなかった廃インクを貯留するタンクとなっている。廃インクは、液体の一例であり、また、廃液の一例でもある。
【００４１】
インク収容部５００内において、複数のインクタンク１０１は、第一方向Ｘ、この場合、インク消費装置５０の左右方向に沿って一列に配列されている。この場合、複数のインクタンク１０１が配列される第一方向Ｘは、搬送経路５１が延びる方向、つまり、シートの搬送方向に直交する方向となっている。
【００４２】
また、インク収容部５００内において、インクタンク１０１Ｂは、端部、この場合、右端部に配置されている。また、インク収容部５００内において、インクタンク１０１Ｗは、端部、この場合、左端部に配置されている。
【００４３】
そして、複数のインクタンク１０１のうちインクタンク１０１Ｂ及びインクタンク１０１Ｗの第一方向Ｘに直交する断面形状は、他のインクタンク１０１Ｃ，１０１Ｍ，１０１Ｙの第一方向Ｘに直交する断面形状よりも大きくなっている。また、複数のインクタンク１０１は、第一方向Ｘに沿う寸法、つまり、インク消費装置５０の左右方向に沿う幅寸法が同一となっている。なお、複数のインクタンク１０１は、第一方向Ｘに沿う寸法がそれぞれ異なっていてもよい。
【００４４】
このように構成されるインク消費装置５０によっても、インクタンク１０１Ｂのインク貯留量及びインクタンク１０１Ｗの廃液貯留量を他のインクタンク１０１Ｃ，１０１Ｍ，１０１Ｙのインク貯留量よりも大きくすることができ、且つ、インク収容部５００の設計の自由度を格段に向上することができる。
【００４５】
（第１０実施形態）
第１０実施形態においては、インク消費装置の左右方向を第一方向Ｘ、上下方向を第二方向Ｚ、前後方向を第三方向Ｙと定義する。図１２に例示するインク消費装置６０は、その左右方向のほぼ中央部に前後方向に延びる搬送経路６１を備えている。また、インク消費装置６０は、破線矢印で示すように搬送経路６１上を左右方向に往復移動するキャリッジ６００を備えている。キャリッジ６００は、収容部の一例である。キャリッジ６００には、複数、この場合、４つのインクカートリッジ６０１Ｃ，６０１Ｍ，６０１Ｙ，６０１Ｂが着脱可能に備えられている。以下、これらのインクカートリッジ６０１Ｃ，６０１Ｍ，６０１Ｙ，６０１Ｂをまとめて「インクカートリッジ６０１」と称する場合もある。
【００４６】
複数のインクカートリッジ６０１は、何れも液体貯留部の一例である。複数のインクカートリッジ６０１は、この場合、それぞれ異なる種類のインクを貯留している。即ち、インクカートリッジ６０１Ｃには、内部にシアンインクが貯留されている。インクカートリッジ６０１Ｍには、内部にマゼンタインクが貯留されている。インクカートリッジ６０１Ｙには、内部にイエローインクが貯留されている。インクカートリッジ６０１Ｂには、内部にブラックインクが貯留されている。即ち、複数のインクカートリッジ６０１は、それぞれ異なる種類のインクを貯留するカートリッジとなっている。
【００４７】
キャリッジ６００内において、複数のインクカートリッジ６０１は、第一方向Ｘ、この場合、インク消費装置６０の左右方向となる水平方向に沿って一列に配列されている。この場合、複数のインクカートリッジ６０１が配列される第一方向Ｘは、搬送経路６１が延びる方向、つまり、シートの搬送方向に直交する方向となっている。また、キャリッジ６００内において、インクカートリッジ６０１Ｂは、端部、この場合、右端部に配置されている。
【００４８】
そして、複数のインクカートリッジ６０１のうちインクカートリッジ６０１Ｂの第一方向Ｘに直交する断面形状は、他のインクカートリッジ６０１Ｃ，６０１Ｍ，６０１Ｙの第一方向Ｘに直交する断面形状よりも大きくなっている。また、複数のインクカートリッジ６０１は、第一方向Ｘに沿う寸法、つまり、インク消費装置６０の左右方向に沿う幅寸法が同一となっている。なお、複数のインクカートリッジ６０１は、第一方向Ｘに沿う寸法がそれぞれ異なっていてもよい。
【００４９】
このように構成されるインク消費装置６０によっても、インクカートリッジ６０１Ｂのインク貯留量を他のインクカートリッジ６０１Ｃ，６０１Ｍ，６０１Ｙのインク貯留量よりも大きくすることができ、且つ、キャリッジ６００の設計の自由度を格段に向上することができる。即ち、本開示に係る技術思想は、液体消費装置に着脱不能に備えられる液体貯留タンクに限られず、液体消費装置に着脱可能に備えられる液体貯留カートリッジにも適用することができる。
【００５０】
（その他の実施形態）
なお、本開示は、上述した複数の実施形態に限定されるものではなく、その要旨を逸脱しない範囲で様々な変形、拡張が可能である。例えば、上述した複数の実施形態を、適宜選択して組み合わせて実施してもよい。
【００５１】
また、図１３に例示するインク消費装置７０のように、複数のインクタンク１０１は、搬送経路７１を挟んで左右に分かれて配置されていてもよい。この場合、インク消費装置７０は、インクタンク１０１Ｃ，１０１Ｍ，１０１Ｙが、正面側から見て搬送経路１１よりも右側に配置され、インクタンク１０１Ｂが、正面側から見て搬送経路１１よりも左側に配置されている。そして、この場合も、インクタンク１０１Ｂの第一方向Ｘに直交する断面形状は、他のインクタンク１０１Ｃ，１０１Ｍ，１０１Ｙの第一方向Ｘに直交する断面形状よりも大きくなっている。なお、インク消費装置７０においては、インク収容部も搬送経路７１を挟んで左右に分かれて設けられており、インクタンク１０１Ｃ，１０１Ｍ，１０１Ｙは、インク収容部７００ａ内に収容され、インクタンク１０１Ｂは、インク収容部７００ｂ内に収容されている。
【００５２】
また、液体貯留部の数は、複数である限り、その数を適宜変更することが可能である。その場合、少なくとも１つの液体貯留部を他の液体貯留部よりも大きくした構成とすればよい。また、本開示に係る技術思想は、インクを消費する液体消費装置に限らず、インク以外の液体を消費する液体消費装置にも適用することが可能である。
【符号の説明】
【００５３】
１０，２０，３０，４０，５０，６０，７０：インク消費装置（液体消費装置）、１００，２００，３００，４００，５００，６００，７００ａ，７００ｂ：インク収容部（収容部）、１０１Ｃ，１０１Ｍ，１０１Ｙ，１０１Ｂ，１０１Ｗ：インクタンク（液体貯留部）、６０１Ｃ，６０１Ｍ，６０１Ｙ，６０１Ｂ：インクカートリッジ（液体貯留部）
【図１】
2020163715.tif 000003
【図２】
2020163715.tif 000004
【図３】
2020163715.tif 000005
【図４】
2020163715.tif 000006
【図５】
2020163715.tif 000007
【図６】
2020163715.tif 000008
【図７】
2020163715.tif 000009
【図８】
2020163715.tif 000010
【図９】
2020163715.tif 000011
【図１０】
2020163715.tif 000012
【図１１】
2020163715.tif 000013
【図１２】
2020163715.tif 000014
【図１３】
2020163715.tif 000015